(57)【要約】【課題】  遠心力に対するマグネットの保持を簡単に行わせることができる回転電機用磁石回転子を得る。【解決手段】  環状のロータヨーク１の外周に周方向に所要の間隔でスぺーサ嵌合溝２を設け、各スぺーサ嵌合溝２にそれぞれスペーサ４を遠心方向に脱出しないようにして嵌合する。各スペーサ４は、ロータヨーク１の外周から突出したマグネット保持部４ａをそれぞれ有する。ロータヨーク１の外周で隣接するマグネット保持部４ａの間にマグネット６をそれぞれ嵌め込んで周方向の位置決めをする。各マグネット６は、その長手方向の両端をロータヨーク１の外周に嵌めた１対のリング７，８でロータヨーク１の軸心方向の位置決めをする。各マグネット６には、その長手方向の両端の外向き面に傾斜部６ｂをそれぞれ設ける。各リング７，８には、各マグネット６の対応する傾斜部６ｂに嵌めてこれを押さえる傾斜部７ａ，８ａを設ける。【選択図】    図１
2005080340.tif 000002
【特許請求の範囲】
【請求項１】
環状のロータヨークの外周に周方向に所要の間隔でスぺーサ嵌合溝が設けられ、前記各スぺーサ嵌合溝にそれぞれスペーサが遠心方向に脱出しないようにして嵌合され、前記各スペーサは前記ロータヨークの外周から突出したマグネット保持部をそれぞれ有し、前記ロータヨークの外周で隣接する前記マグネット保持部の間にマグネットがそれぞれ嵌め込まれて周方向の位置決めがなされ、前記各マグネットはその長手方向の両端が前記ロータヨークの外周に嵌められた１対のリングで前記ロータヨークの軸心方向の位置決めがなされている回転電機用磁石回転子において、
前記各マグネットにはその長手方向の両端の外向き面に傾斜部がそれぞれ設けられ、前記各リングには前記各マグネットの対応する前記傾斜部に嵌ってこれを押さえる傾斜部が設けられていることを特徴とする回転電機用磁石回転子。
【請求項２】
環状のロータヨークの外周に周方向に所要の間隔でスぺーサ嵌合溝が設けられ、前記各スぺーサ嵌合溝にそれぞれスペーサが遠心方向に脱出しないようにして嵌合され、前記各スペーサは前記ロータヨークの外周から突出したマグネット保持部をそれぞれ有し、前記ロータヨークの外周で隣接する前記マグネット保持部の間にマグネットがそれぞれ嵌め込まれて周方向の位置決めがなされ、前記各マグネットはその長手方向の両端が前記ロータヨークの外周に嵌められた１対のリングで前記ロータヨークの軸心方向の位置決めがなされ、前記マグネット保持部と前記各マグネットと前記各リングとを覆ってマグネット保護ケースが被せられ、前記ロータヨークの軸心方向の両端における前記マグネット保護ケースの両端の押さえ部で前記各リングが前記ロータヨークの軸心方向の位置決めされている回転電機用磁石回転子において、
前記各マグネットにはその長手方向の両端の外向き面に傾斜部がそれぞれ設けられ、前記各リングには前記各マグネットの対応する前記傾斜部に嵌ってこれを押さえる傾斜部が設けられていることを特徴とする回転電機用磁石回転子。
【発明の詳細な説明】
【技術分野】
【０００１】
本発明は、例えば磁石発電機の磁石回転子の如き回転電機用磁石回転子に関するものである。
【背景技術】
【０００２】
従来の例えば磁石発電機の磁石回転子の如き回転電機用磁石回転子は、図４〜図１０に示した構造であって、図４は一部を横断して示した軸線方向の端面図、図５は図４のＡ−Ｏ−Ａ断面図、図６は図５の右側面図、図７は従来のマグネットを示したもので、（Ａ）は平面図、（Ｂ）は（Ａ）の長手方向の端部の側面図、（Ｃ）は（Ａ）の長手方向に沿った断面図、図８は図４〜図６に示した磁石回転子の組み立て図、図９は図４のＢ部詳細図、図１０は図９よりマグネットが遠心方向に抜けないようにした図４のＢ部詳細図である。
【０００３】
例えば、レース用の回転電機用磁石回転子においては、小型化、軽量化、高出力化を図り、更に慣性モーメントを小さくするために希土類磁石を用いている。特に、過回転時の遠心力や衝撃等によるマグネットの固着力の低下を抑えるために下記のような構造にしていた。即ち、この回転電機用磁石回転子は、環状のロータヨーク１を備え、該ロータヨーク１の外周には周方向に所要の間隔でスぺーサ嵌合溝２が設けられている。このスぺーサ嵌合溝２は、ロータヨーク１の軸線方向の一端は開口され、他端は閉じた構造になっている。スぺーサ嵌合溝２の閉じた側で、ロータヨーク１の端部外周には鍔部１ａが設けられている。各スぺーサ嵌合溝２の幅方向の両側壁には、凹状に窪ませて抜け止め凹部３が設けられている。
【０００４】
これらスぺーサ嵌合溝２には、スペーサ４がそれぞれ嵌合されている。これらスペーサ４のスぺーサ嵌合溝２に嵌る部分には、抜け止め凹部３に嵌る抜け止め凸部５が突設され、両者の嵌り合いによりスペーサ４が遠心方向に脱出しないようになっている。各スペーサ４は、ロータヨーク１の外周から突出したマグネット保持部４ａをそれぞれ有する。これらマグネット保持部４ａの幅方向の両側には、基部から先端に向かうにつれて幅方向に張り出した傾斜面４ａｂがそれぞれ設けられている。傾斜面４ａｂの傾斜角度は、図９ではθ０となっており、図１０ではθ０ より角度の大きいθ１となっている。 ロータヨーク１の外周で隣接するマグネット保持部４ａの間には、希土類磁石よりなるマグネット６がそれぞれ嵌め込まれて周方向の位置決めがなされている。これらマグネット６の幅方向の両側には、マグネット保持部４ａの傾斜面４ａｂに重なり合う側面６ａが設けられている。マグネット保持部４ａは、スペーサ４の長手方向に間隔をあけて２個設けられている。
【０００５】
各マグネット６は、その長手方向の両端がロータヨーク１の外周に嵌められた１対のリング７，８でロータヨーク１の軸心方向の位置決めがなされている。
【０００６】
マグネット保持部４ａと各マグネット６と各リング７，８とを覆って筒状のマグネット保護ケース９が被せられている。ロータヨーク１の軸心方向の両端におけるマグネット保護ケース９の両端を曲げた押さえ部９ａ，９ｂで各リング７，８がロータヨーク１の軸心方向の位置決めされている。マグネット保護ケース９は、各マグネット６に嵌める前は、図８に示すように軸線方向の一端は曲げないでストレートにしておいて、他端を曲げて押さえ部９ｂを形成しておき、ストレートの側から嵌め、嵌め終わってから曲げて押さえ部９ａを形成する。
【０００７】
このような回転電機用磁石回転子の組み立ては、図８に示すように、ロータヨーク１の外周にリング７を嵌め、次にロータヨーク１の外周の各スぺーサ嵌合溝２にスペーサ４を嵌める。この際に、各スペーサ４の先端をリング７の中に嵌める。次に  周方向に隣接するスペーサ４のマグネット保持部４ａの間にマグネット６をそれぞれ嵌める。各マグネット６が嵌め終わったら、リング８を各スペーサ４の末端に嵌める。しかる後、マグネット保護ケース９を、その先端のストレートの部分から、マグネット保持部４ａと各マグネット６と各リング７，８とを覆って嵌める。嵌め終わったら、ストレートの部分を曲げて押さえ部９ａを形成する（例えば、特許文献１参照。）。
【特許文献１】特開２００２−２７６９１号公報
【発明の開示】
【発明が解決しようとする課題】
【０００８】
しかしながら、このような従来の構造の回転電機用磁石回転子では、スぺーサ４のマグネット保持部４ａの側面の傾斜面４ａｂの傾斜角度が、図９に示すような鋭角のθ０ではマグネット６の両側面が略平行になり、スペーサ４におけるマグネット保持部４ａの傾斜面４ａｂでのマグネット６の保持が十分に行えず、遠心力が作用した際にマグネット６が遠心力でロータヨーク１から外れ易い問題点があった。
【０００９】
また、スぺーサ４のマグネット保持部４ａの側面の傾斜面４ａｂの傾斜角度が、図１０に示すような鈍角のθ１では、これに合わせてマグネット６の両側面の角度を設定加工することが難しく、寸法のばらつきが大きく、マグネット保持部４ａの傾斜面４ａｂとの嵌め合わせが難しい問題点があった。
【００１０】
本発明の目的は、遠心力に対するマグネットの保持を簡単に行わせることができる回転電機用磁石回転子を提供することにある。
【課題を解決するための手段】
【００１１】
本発明は、環状のロータヨークの外周に周方向に所要の間隔でスぺーサ嵌合溝が設けられ、前記各スぺーサ嵌合溝にそれぞれスペーサが遠心方向に脱出しないようにして嵌合され、前記各スペーサは前記ロータヨークの外周から突出したマグネット保持部をそれぞれ有し、前記ロータヨークの外周で隣接する前記マグネット保持部の間にマグネットがそれぞれ嵌め込まれて周方向の位置決めがなされ、前記各マグネットはその長手方向の両端が前記ロータヨークの外周に嵌められた１対のリングで前記ロータヨークの軸心方向の位置決めがなされている回転電機用磁石回転子を対象とする。
【００１２】
本発明に係る回転電機用磁石回転子では、前記各マグネットにはその長手方向の両端の外向き面に傾斜部がそれぞれ設けられ、前記各リングには前記各マグネットの対応する前記傾斜部に嵌ってこれを押さえる傾斜部が設けられていることを特徴とする。
【００１３】
また本発明は、環状のロータヨークの外周に周方向に所要の間隔でスぺーサ嵌合溝が設けられ、前記各スぺーサ嵌合溝にそれぞれスペーサが遠心方向に脱出しないようにして嵌合され、前記各スペーサは前記ロータヨークの外周から突出したマグネット保持部をそれぞれ有し、前記ロータヨークの外周で隣接する前記マグネット保持部の間にマグネットがそれぞれ嵌め込まれて周方向の位置決めがなされ、前記各マグネットはその長手方向の両端が前記ロータヨークの外周に嵌められた１対のリングで前記ロータヨークの軸心方向の位置決めがなされ、前記マグネット保持部と前記各マグネットと前記各リングとを覆ってマグネット保護ケースが被せられ、前記ロータヨークの軸心方向の両端における前記マグネット保護ケースの両端の押さえ部で前記各リングが前記ロータヨークの軸心方向の位置決めされている回転電機用磁石回転子を対象とする。
【００１４】
本発明に係る回転電機用磁石回転子では、前記各マグネットにはその長手方向の両端の外向き面に傾斜部がそれぞれ設けられ、前記各リングには前記各マグネットの対応する前記傾斜部に嵌ってこれを押さえる傾斜部が設けられていることを特徴とする。
【発明の効果】
【００１５】
本発明に係る回転電機用磁石回転子では、各マグネットにはその長手方向の両端の外向き面に傾斜部をそれぞれ設け、各リングには各マグネットの対応する傾斜部に嵌ってこれを押さえる傾斜部を設けているので、各マグネットは軸方向の加工となるため寸法精度が安定し、位置決めが容易となり、且つ磁極角度に影響しない部分に傾斜を設けることになって性能のばらつきが小さくなり、マグネットの幅方向の両側面に傾斜部を設ける場合に比べて傾斜部の形成が容易となる。また、リングの内周に傾斜部を設けることは、マグネットと違って加工が容易である。このため本発明によれば、簡単な構造の変更のみで容易にマグネットの飛散防止を図ることができる。
【００１６】
また、マグネット保持部と各マグネットと各リングとを覆ってマグネット保護ケースを被せると、これらの保護を図ることができる。
【発明を実施するための最良の形態】
【００１７】
図１乃至図３は本発明の例えば磁石発電機の磁石回転子の如き回転電機用磁石回転子を実施するための最良の形態の一例を示したもので、図１は本例の回転電機用磁石回転子の縦断面図、図２は本例で用いているマグネットと各リングの関係を示す縦断面図、図３は本例で用いているマグネットを示したもので、（Ａ）は平面図、（Ｂ）は長手方向の端部から見た側面図、（Ｃ）は縦断面図である。なお、前述した図４〜図１０と対応する部分には、同一符号を付けて示している。
【００１８】
本例の回転電機用磁石回転子では、図３（Ａ）（Ｂ）に示すように希土類磁石よりなる各マグネット６の幅方向の両側には傾斜部を設けず、各マグネット６の長手方向（軸方向）の両端の外向き面に傾斜部６ｂがそれぞれ設けられている。これに対応して各リング７，８には各マグネット６の対応する傾斜部６ｂに嵌ってこれを押さえる傾斜部７ａ，８ａがそれぞれ設けられている。その他の構成は、前述した図４〜図１０と同様になっている。
【００１９】
このように、各マグネット６にはその長手方向の両端の外向き面に傾斜部６ｂをそれぞれ設け、各リング７，８には各マグネット６の対応する傾斜部６ｂに嵌ってこれを押さえる傾斜部７ａ，８ａを設けると、各マグネット６は軸方向の加工となるため寸法精度が安定し、位置決めが容易となり、且つ磁極角度に影響しない部分に傾斜を設けることになって性能のばらつきが小さくなり、マグネット６の幅方向の両側面に傾斜部を設ける場合に比べて傾斜部の形成が容易となる。また、リング７，８の内周に傾斜部７ａ，８ａを設けることは、マグネットと違って加工が容易である。このため本発明によれば、簡単な構造の変更のみで容易にマグネット６の飛散防止を図ることができる。
【００２０】
また、マグネット保持部４ａと各マグネット６と各リング７，８とを覆ってマグネット保護ケース９を被せると、これらの保護を図ることができる。
【図面の簡単な説明】
【００２１】
【図１】本発明の回転電機用磁石回転子を実施するための最良の形態の一例を示した縦断面図である。
【図２】本例で用いているマグネットと各リングの関係を示す縦断面図である。
【図３】本例で用いているマグネットを示したもので、（Ａ）は平面図、（Ｂ）は長手方向の端部から見た側面図、（Ｃ）は縦断面図である。
【図４】従来の回転電機用磁石回転子の一部を横断して示した軸線方向の端面図である。
【図５】図４のＡ−Ｏ−Ａ断面図である。
【図６】図５の右側面図である。
【図７】従来のマグネットを示したもので、（Ａ）は平面図、（Ｂ）は（Ａ）の長手方向の端部の側面図、（Ｃ）は（Ａ）の長手方向に沿った断面図である。
【図８】図４〜図６に示した磁石回転子の組み立て図である。
【図９】図４のＢ部詳細図である。
【図１０】図９よりマグネットが遠心方向に抜けないようにした図４のＢ部詳細図である。
【符号の説明】
【００２２】
１  ロータヨーク
１ａ  鍔部
２  スぺーサ嵌合溝
３  抜け止め凹部
４  スペーサ
４ａ  マグネット保持部
４ａｂ  傾斜面
５  抜け止め凸部
６  マグネット
６ａ  側面
６ｂ  傾斜部
７，８  リング
９  マグネット保護ケース
９ａ，９ｂ  押さえ部
【図１】
2005080340.tif 000003
【図２】
2005080340.tif 000004
【図３】
2005080340.tif 000005
【図４】
2005080340.tif 000006
【図５】
2005080340.tif 000007
【図６】
2005080340.tif 000008
【図７】
2005080340.tif 000009
【図８】
2005080340.tif 000010
【図９】
2005080340.tif 000011
【図１０】
2005080340.tif 000012